(57)【要約】【課題】担当者が容易に誤りのないＰＯＰシートを印字可能にするＰＯＰ印字システムを提供する。【解決手段】商品の種類ごとに商品名、値段等の商品データを記憶し指定操作して該当商品データを呼び出して商品に貼付するラベルに前記商品データを印字するラベルプリンタと、事務所、あるいは、店頭に設けられ、店内広告が可能な大きさのシートにＰＯＰデータを印刷したＰＯＰシートを印刷するＰＯＰ印刷手段と、ラベルプリンタとＰＯＰ印刷手段とを接続する通信手段と、ラベルプリンタには所定の操作で呼び出した商品データに基づきＰＯＰデータをＰＯＰ印刷手段に送信し、ＰＯＰシートを印刷する制御手段とを備えたことを特徴とする。【選択図】　　　　図１
2004026159.tif 000002
【特許請求の範囲】
【請求項１】
商品の種類ごとに商品名、値段等の商品データを記憶し指定操作して該当商品データを呼び出して商品に貼付するラベルに前記商品データを印字するラベルプリンタと、
事務所、あるいは、店頭に設けられ、店内広告が可能な大きさのシートにＰＯＰデータを印刷したＰＯＰシートを印刷するＰＯＰ印刷手段と、
ラベルプリンタとＰＯＰ印刷手段とを接続する通信手段と、
ラベルプリンタには所定の操作で呼び出した商品データに基づきＰＯＰデータをＰＯＰ印刷手段に送信し、ＰＯＰシートを印刷する制御手段と、
を備えたことを特徴とするＰＯＰ印刷システム。
【請求項２】
前記ＰＯＰ印刷手段に送信するデータは、広告メッセージデータを含むことを特徴とする請求項１記載のＰＯＰ印刷システム。
【請求項３】
前記制御手段はＰＯＰ印刷フォーマット情報を指定操作でき、広告データと共にＰＯＰ印刷フォーマット情報を送信することを特徴とする請求項１若しくは２に記載のＰＯＰ印刷フォーマットシステム。
【請求項４】
前記ラベルプリンタで呼び出した商品データはラベル印字とＰＯＰ印刷のいずれにも利用可能であることを特徴とする請求項１から３のいずれかに記載のＰＯＰ印刷システム。
【発明の詳細な説明】
【０００１】
【産業上の利用分野】
本発明は小売店などに設けられ、店内広告を行う為にＰＯＰ印刷手段からＰＯＰシートを印字発行させるＰＯＰ印刷システムに関するものである。
【０００２】
【従来の技術】
従来、スーパーマーケットなどの生鮮食品売場（肉、魚売場等）では肉や魚を加工し、商品ごとのトレーなどに商品を盛り付け、該トレーを包装し、かつ、商品の値段等を表示するラベルを包装されたトレーに貼り付け、包装値付けされた商品を店頭に並べるという作業を開店前の限られた時間内で行っている。
【０００３】
そして、更に担当者はその日の特売商品等をいわゆる「お買い得」を示すＰＯＰシートを商品の傍らや店舗内のお客の目に付くところ（例えば天井から吊るす。）に掲示し、販売促進に繋がる作業も行っている。
【０００４】
【発明が解決しようとする課題】
スーパーマーケットなどでは開店前の限られた時間で上述のような様々な作業をこなす必要があり以下のようなを問題を有する。
各商品の値段などを示すラベル発行は通常商品加工のそば、いわゆるスーパーマーケットのバックルームで行われている。しかしＰＯＰシートは商品から離れた位置からでも見えるようにＡ３程度若しくはそれ以上の大きさが必要であるためＰＯＰ専用の印刷機、あるいは、汎用の印刷機で印刷し、その発行指示はパーソナルナルコンピューターで行う為、該パーソナルコンピュターは設置環境の良い事務所等に置かれている場合が多く、且つ、該事務所はバックルームからは離れているケースが多い。
従って担当者はバックルームで商品のラベル発行等の作業をした後、ＰＯＰシート発行指示の為、事務所まで足を運ばなくてはならず作業効率が悪いという問題があった。
【０００５】
又、商品のラベル発行後、担当者が事務所へ足を運び、自ら入力作業を行い、その日の価格等に合わせてＰＯＰシートを作成していた為、実際に商品に貼付されているラベルに記載されている値段／商品名などと比較して、誤って異なった値段や商品名などをＰＯＰシートに記載してしまう場合があった。
本発明はこのような事情を考慮してなされたもので、その目的は担当者が誤りのないＰＯＰシートを効率良く印字可能にするＰＯＰ印字システムを提供することを目的とする。
【０００６】
【課題を解決するための手段】
上記の課題を解決するため、請求項１に記載のＰＯＰ印字システムにおいては、商品の種類ごとに商品名、値段等の商品データを記憶し指定操作して該当商品データを呼び出して商品に貼付するラベルに前記商品データを印字するラベルプリンタと、事務所、あるいは、店頭に設けられ、店内広告が可能な大きさのシートに商品データを印刷したＰＯＰシートを印刷するＰＯＰ印刷手段と、ラベルプリンタとＰＯＰ印刷手段とを接続する通信手段と、ラベルプリンタには所定操作し呼び出した商品データに基づくＰＯＰ印刷フォーマット情報をＰＯＰ印刷手段に送信し、ＰＯＰシートを印刷する制御手段と、を備えたことを特徴とする。
これにより、担当者は商品バックルームにいながら別の場所に置かれたＰＯＰ印刷手段にＰＯＰ印刷指示を送ってＰＯＰシートを印刷できる為作業効率を向上させることができる。
【０００７】
請求項２に記載のＰＯＰ印字システムにおいては、前記ＰＯＰ印刷手段に送信するデータは、広告メッセージデータを含むことを特徴としている。これにより、例えばラベル印字では使用しないような効果的な広告メッセージもＰＯＰ印刷することが可能である。
【０００８】
請求項３に記載のＰＯＰ印字システムにおいては、前記制御手段はＰＯＰ印刷フォーマット情報を指定操作でき、広告データと共にＰＯＰ印刷フォーマット情報を送信することを特徴としている。これにより、ラベルプリンタでＰＯＰ印刷フォーマット情報を指定操作できるので、状況に応じたＰＯＰを印刷することが可能である。
【０００９】
請求項４に記載のＰＯＰ印字システムにおいては前記ラベルプリンタで呼び出した商品データはラベル印字とＰＯＰ印刷のいずれにも利用可能であることを特徴としている。
これによりラベルとＰＯＰを同じ商品データに基づくため、両者の不一致が生じるおそれが少ない。
【００１０】
【発明の実施の形態】
以下、図面を参照し、本発明の一実施形態のＰＯＰ印字システムについて説明する。
図１はＰＯＰ印字システムの全体構成を示す概略構成システム図である。本発明の一実施形態によるＰＯＰ印字システムは図１に示すように、スーパーマーケットなどのいわゆるバックルームに置かれ商品に貼付するラベルを発行する為のラベルプリンタ１、事務所にはＰＯＰシートを発行指示するアプリケーションソフトウェアや商品ファイル等の様々なファイルが記憶されたパーソナルコンピューター２（以下、サーバーＰＣ２とする。）、そして事務所内若しくは売り場にあり、サーバーＰＣ２からＰＯＰ発行指示の指示を受けるとＰＯＰシートを発行するプリンタ３がＬＡＮ４（　Ｌｏｃａｌ　Ａｒｅａ　Ｎｅｔｗｏｒｋ）ケーブルを介して接続されている。そして更に店舗によっては前記ＬＡＮケーブル上にトランシーバー５を接続し、スーパーマーケット等の売場内にいる各店員が所持する無線携帯通信器６を動作させ、該無線携帯通信器からの信号を、該トランシーバー５を介して前記サーバーＰＣ２と通信可能とし、該サーバーＰＣ２内にある商品ファイル等を変更若しくは追加、更にはＰＯＰシートの発行指示も行うことが可能である。
【００１１】
以下、本発明の一実施形態を構成するラベルプリンタの構成について説明する。図２は本発明の一実施形態を構成するラベルプリンタの外観構成を示す斜視図であり、図３は同ラベルプリンタの電気的構成を示すブロック図である。１０はラベルプリンタの本体である。この本体の内部には図３に示すロードセル制御部２３が設けられており、このロードセル制御部２３には秤１１が接続されている。そして本体１の前面部にはラベル印字機構部１２及び操作部１４が設けられている。上記ラベル印字機構部１２は引き出し部１３をラベルプリンタ本体１０の手前方向に引き出す事によりラベル装填部を確認することができる（図示せず）。
【００１２】
図２にはラベル印字機構部１２が二つ記載されているが、これはツインラベルプリンターの例であり、お客は左右のラベル印字機構部いずれからもラベルを発行させることができ、例えば使用するラベルサイズが異なる場合などの場合には左右のラベル印字機構部をラベルサイズによって使い分けてもいい。また本発明のラベル印字機構は通常のラベル印字と同様な構成をしており、ドット印字を行うサーマルヘッドと、１ドットライン分のデータを蓄積し、前記サーマルヘッドに供給するシフトレジスタと、ラベルを１ドットラインずつ移動するシフトレジスタと、ラベルを１ドットずつ移動させるステッピングモーターとを有しており、任意の文字、数字、及び画像を印字できるようになっている。
【００１３】
操作部１４は商品入力時に使う数字キーの他、品番キー、発行キーなど構成している。操作表示部１５は角度調整材１６の位置を前後に変えることにより、操作表示部１５の角度を調整することができる。又操作表示部１５は液晶表示器２６の上面にタッチパネル２８が積層された構造をしており、同一面において、データの表示と入力を可能とする。
図２の１７はラベルプリンタの電源ＯＮ／ＯＦＦキーである。
図５は操作表示部１５に示される値付け画面の一例であり、商品名称の他、品番、値段等が示されている。そして画面の各項目をタッチすることで所定の操作を可能とする。
【００１４】
図３の２０は、ラベルプリンタ装置各部を制御するＣＰＵ（中央処理装置）であり、本発明の一実施形態であるラベルプリンタからＰＯＰシート発行指示を行う場合の制御も行う。２１はＲＡＭ（ランダムアクセスメモリ）であり、各種の処理に使用されるワーキングエリア、商品ファイル、ラベルフォーマットファイルなどが設けられている。ＲＡＭ内の上記商品ファイル、ラベルフォーマットなどを記憶している領域はバッテリバックアップが施されており、本体１の電源を落とした場合でも、記憶している内容が失われないようにしている。２２はＲＯＭ（リードオンリーメモリ）で、計量処理プログラム、印字処理プログラム、及び文字フォントデータが格納されている。
【００１５】
また、図３に示すように、秤１１のロードセル１１ａはロードセル制御部２３を、ラベル印字機構部１２は印字制御部２４を、液晶表示器２６は表示制御部２７を、キー及びスイッチ２９、タッチパネル２８は操作制御部３０をそれぞれ介してＣＰＵ２０に接続されている。そして、液晶表示器２６とタッチパネル２８を合わせたものが、操作表示部１５になる。又、通信部３１は外部接続機器、例えば本実施形態の場合はサーバＰＣ２やプリンター３などと通信する場合に使用されるものである。
【００１６】
図４はＲＡＭ２１に記憶される商品ファイルの内容を示す表である。表に示すように、ＰＬＵ　ＮＯ、商品名称、通常価格、特売価格、産地／メーカ、サイズ／容量等の複数のフィールドからなる商品データが保存登録されている。そして該商品データはラベルプリンタで例えば設定モードなどで各データを作成することができる。尚、これらのデータはあくまで一例にすぎず、バーコードデータなどの他のデータも含む。次にラベルプリンタ本体１０の通常ラベル発行の動作について説明する。電源ＯＮ／ＯＦＦキー１７をＯＮにした後、操作部１４の数字キーと品番キーを用い品番入力をし、品番入力された商品データが商品ファイルから呼び出され値付画面が操作表示部１５に表示される。
【００１７】
図５は上述の値付画面の一例であり非計量商品のものであり、非計量商品の場合は操作部１４の発行キーを押下することで所望のラベルを発行することができる。又計量商品の場合は商品を秤１１に置き、計量安定すると当該商品のラベルが自動的に発行される。
【００１８】
以下に図１に示す本発明の実施形態を構成するサーバＰＣ２とＰＯＰシートを発行するプリンタ３について説明する。
サーバＰＣ２の構成は一般のパーソナルコンピュータと同等のものであり、ＣＲＴ、キーボード、ハードディスク、ＲＡＭ　、ＲＯＭ、マウス等を備えたものである。そして該ＲＡＭには図９に示すように商品名称、単価、特売価格、産地／メーカー、ＰＯＰカード番号などが記憶されている商品ファイルや図１０に示すようなＰＯＰカード番号ファイルが記憶されている。ここで、ＰＯＰカード番号ファイルとは、図７に示すようなＰＯＰシートに記載される全ての文字や数字等について、予め字の大きさやシート上での位置、字の書体などを決めたＰＯＰ印刷フォーマット情報のことをいう。
【００１９】
例えば図１０にはＰＯＰカード番号１として、エリアＮＯ．１からＮＯ．９まで、つまり「特売価格」から「テキスト３」までの字の大きさ、書体、位置などが設定されており、それを実際のＰＯＰシート上に反映させたものが図７になる。図１０のＰＯＰカード番号１のエリアＮｏ．１からＮｏ．９は図７の５０から５８にそれぞれ対応する。尚、ＰＯＰカード番号ファイルには多数のＰＯＰカード番号を設定登録できる。又、図８は図４の商品ファイルをＰＯＰカード番号１に用いた場合の実際のＰＯＰシート例である。
【００２０】
尚、シート上での各エリアの位置はサーバＰＣ上のマウスを用いることで所望の位置に設定でき、更に字の大きさや書体も所望の選択が可能である。プリンタ３は特別のプリンタは必要とせず、汎用のレーザプリンタでいい。
【００２１】
次に本発明の一実施形態であるラベルプリンタからの指示によりＰＯＰシートをＰＯＰ印字手段から印字する動作をラベルプリンタのＣＰＵ、サーバＰＣのＣＰＵが行う処理の流れを示すフローチャートそれぞれ図１１及び１２を用いて説明する。
ＳＴ１：通常ラベル発行動作と同様に、図２の操作部１４の数字キーと品番キーを用い所望の品番を入力する。
ＳＴ２：所望の商品データを読出する。
ＳＴ３：図５に示す操作表示部上のＰＯＰ発行指示キー３２を押下する。
ＳＴ４：ＳＴ３の操作により、図６の表示画面へ変わる。図６では選択された商品の商品番号、品名、値段などが表示され、更に使用したいＰＯＰカード番号４０をタッチすると予め設定されているＰＯＰカード番号がリストとして操作表示部上に表示され、そのリストの中から使用したいファイルをタッチし選択する。
また予め使用したいＰＯＰカード番号がわかっている場合は該ＰＯＰカード番号の数字を操作部１４の数字キーを用いて押し、その後カード番号４０を押下することで所望のＰＯＰカード番号が設定できる。
【００２２】
次に、出力枚数は操作部１４の数字キーを用いて、必要枚数の数字を押し、その後出力枚数４１をタッチすることで出力させたいＰＯＰシートの出力枚数を入力することができる。
ＳＴ５：図６の送信キー４２を押下することにより、ラベルプリンタ本体ＲＡＭ２１上に記憶してある選択された商品ファイルの商品名称、通常価格、特売価格、広告メッセージ、テキスト等のデータと選択されたＰＯＰカード番号とＰＯＰシート出力枚数及び、サーバーＰＣ２からＰＯＰシートを印字させる印字コマンドがラベルプリンタ本体１からサーバーＰＣ２へ送信される。
ＳＴ１１：サーバーＰＣ２ではＳＴ５で送信されたデータ及びコマンドを受信する。
ＳＴ１２：受信されたＰＯＰカード番号をサーバＰＣ２内のＲＡＭに記憶してあるＰＯＰカード番号ファイルから検索して印刷フォーマット情報を読み出す。
ＳＴ１３：ＳＴ１２で読出されたフォーマット情報及びＳＴ１１で受信された商品名称、通常価格、特売価格、広告メッセージ、テキスト等のデータをもとに印字を開始する。
【００２３】
本発明では図４に示すラベルプリンタに記憶された商品ファイルのデータがサーバＰＣ２へ送信される為、通常ラベルには印字しないようなデータ例えば「ＳＡＬＥ」などの広告メッセージなどを設定し、且つ、使用するＰＯＰカード番号に該エリアを作成しておけば、該データをＰＯＰシートに印字することが可能である。又、ラベルプリンタ内に記憶してあるデータを使用することで、同じ商品でラベルに印字される印字データとＰＯＰシートに印字される印字データが異なるという問題を最小限に抑えることができる。
【００２４】
以上、本発明の実施形態を図面を用い参照して詳述したが、本発明の目的を達成できる構成であれば、具体的な構成はこの実施形態に限られるものではなく、本発明の要旨を逸脱しない範囲の設計変更等も含まれる。例えば、図２、５、６に示したラベルプリンタの構成及び表示画面は単なる一例であり、この構成に限定されない。
【００２５】
又、本発明の実施形態ではラベルプリンタ内のＲＡＭに記憶してある各商品ファイルには使用するＰＯＰカード番号及び出力枚数は予め登録してはいないが、各商品ファイルにそれらのデータを予め割り振っておいてもいい。このことにより例えば図５のＰＯＰ発行指示キーを押下するだけで、必要なＰＯＰカード番号、出力枚数を含む商品ファイルデータ及び送信コマンドはサーバＰＣ２へ送信され、より作業が簡素化することが可能である。
【００２６】
又、図１０のＰＯＰカード番号１のエリアＮｏ．１から９はそれぞれ「特売価格」から「テキスト３」と設定登録されているが、各エリアとも所望のデータに変更することは可能である。つまり、エリアＮｏ．１を商品名称や通常価格等に設定してもいい。
【００２７】
【発明の効果】
これまで説明したように、本発明では以下のような効果を得ることが可能である。
請求項１の発明では値付け操作を行う場所にて、担当者がラベルプリンタからＰＯＰ印刷手段にＰＯＰ印刷指示を送るだけでＰＯＰシートを自動的に印刷できる為作業効率を向上させることができる。
請求項２の発明ではラベル印字では使用しないような効果的な広告メッセージもＰＯＰ印刷可能である。
請求項３ではラベルプリンタでＰＯＰ印刷フォーマット情報を指定操作できるので状況に応じたＰＯＰを印刷できる。
請求項４ではラベルとＰＯＰを同じ商品データに基づくため、両者の不一致が生じる問題を最小限に抑えることが可能である。
【００２８】
【図面の簡単な説明】
【図１】本発明の一実施形態によるＰＯＰ印字システム概略構成図である。
【図２】本発明のＰＯＰ印字システムを構成するラベルプリンタの外観を示す斜視図である。
【図３】ラベルプリンタの電気的構成を示すブロック図である。
【図４】ラベルプリンタのＲＡＭ内に記憶された商品ファイルの例を示す図である。
【図５】ラベルプリンタの操作表示部に示される値付け画面の例を示す図である。
【図６】ラベルプリンタの操作表示部に示されるＰＯＰ発行指示画面の例を示す図である。
【図７】ＰＯＰ印刷フォーマット例を示す図である。
【図８】ＰＯＰ印刷シート例を示す図である。
【図９】ＰＯＰ印刷手段のＲＡＭ内に記憶された商品ファイルの例を示す図である。
【図１０】ＰＯＰ印刷手段のＲＡＭ内に記憶されたＰＯＰカード番号ファイルを示す図である。
【図１１】ラベルプリンタのＣＰＵが行うＰＯＰ発行指示処理を示すフローチャートである。
【図１２】本発明の一実施形態によるラベルプリンタからＰＯＰ発行指示動作を受けた後のＰＯＰ印刷手段のＣＰＵが行う処理を示すフローチャートである。
【００２９】
【符号の説明】
１　　ラベルプリンタ
２　　サーバＰＣ
３　　プリンタ
４　　ＬＡＮケーブル
５　　トランシーバー
６　　無線携帯装置
１０　　ラベルプリンタ本体
１１　　秤
１２　　ラベル印字機構部
１３　　取り出し部
【図１】
2004026159.tif 000003
【図２】
2004026159.tif 000004
【図３】
2004026159.tif 000005
【図４】
2004026159.tif 000006
【図５】
2004026159.tif 000007
【図６】
2004026159.tif 000008
【図７】
2004026159.tif 000009
【図８】
2004026159.tif 000010
【図９】
2004026159.tif 000011
【図１０】
2004026159.tif 000012
【図１１】
2004026159.tif 000013
【図１２】
2004026159.tif 000014
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
商品の種類ごとに商品名、値段等の商品データを記憶し指定操作して該当商品データを呼び出して商品に貼付するラベルに前記商品データを印字するラベルプリンタと、
事務所、あるいは、店頭に設けられ、店内広告が可能な大きさのシートにＰＯＰデータを印刷したＰＯＰシートを印刷するＰＯＰ印刷手段と、
ラベルプリンタとＰＯＰ印刷手段とを接続する通信手段と、
ラベルプリンタには所定の操作で呼び出した商品データに基づきＰＯＰデータをＰＯＰ印刷手段に送信し、ＰＯＰシートを印刷する制御手段と、
を備えたことを特徴とするＰＯＰ印刷システム。
【請求項２】
前記ＰＯＰ印刷手段に送信するデータは、広告メッセージデータを含むことを特徴とする請求項１記載のＰＯＰ印刷システム。
【請求項３】
前記制御手段はＰＯＰ印刷フォーマット情報を指定操作でき、広告データと共にＰＯＰ印刷フォーマット情報を送信することを特徴とする請求項１若しくは２に記載のＰＯＰ印刷システム。
【請求項４】
前記ラベルプリンタで呼び出した商品データはラベル印字とＰＯＰ印刷のいずれにも利用可能であることを特徴とする請求項１から３のいずれかに記載のＰＯＰ印刷システム。
【手続補正２】
【補正対象書類名】明細書
【補正対象項目名】０００１
【補正方法】変更
【補正の内容】
【０００１】
【産業上の利用分野】
本発明は小売店などに設けられ、店内広告を行う為にＰＯＰ印刷手段からＰＯＰシートを印刷発行させるＰＯＰ印刷システムに関するものである。


【手続補正３】
【補正対象書類名】明細書
【補正対象項目名】０００５
【補正方法】変更
【補正の内容】
【０００５】
又、商品のラベル発行後、担当者が事務所へ足を運び、自ら入力作業を行い、その日の価格等に合わせてＰＯＰシートを作成していた為、実際に商品に貼付されているラベルに記載されている値段／商品名などと比較して、誤って異なった値段や商品名などをＰＯＰシートに記載してしまう場合があった。本発明はこのような事情を考慮してなされたもので、その目的は担当者が誤りのないＰＯＰシートを効率良く印刷可能にするＰＯＰ印刷システムを提供することを目的とする。


【手続補正４】
【補正対象書類名】明細書
【補正対象項目名】０００６
【補正方法】変更
【補正の内容】
【０００６】
【課題を解決するための手段】
上記の課題を解決するため、請求項１に記載のＰＯＰ印刷システムにおいては、商品の種類ごとに商品名、値段等の商品データを記憶し指定操作して該当商品データを呼び出して商品に貼付するラベルに前記商品データを印字するラベルプリンタと、事務所、あるいは、店頭に設けられ、店内広告が可能な大きさのシートに商品データを印刷したＰＯＰシートを印刷するＰＯＰ印刷手段と、ラベルプリンタとＰＯＰ印刷手段とを接続する通信手段と、ラベルプリンタには所定操作し呼び出した商品データに基づくＰＯＰ印刷フォーマット情報をＰＯＰ印刷手段に送信し、ＰＯＰシートを印刷する制御手段と、を備えたことを特徴とする。これにより、担当者は商品バックルームにいながら別の場所に置かれたＰＯＰ印刷手段にＰＯＰ印刷指示を送ってＰＯＰシートを印刷できる為作業効率を向上させることができる。


【手続補正５】
【補正対象書類名】明細書
【補正対象項目名】０００７
【補正方法】変更
【補正の内容】
【０００７】
請求項２に記載のＰＯＰ印刷システムにおいては、前記ＰＯＰ印刷手段に送信するデータは、広告メッセージデータを含むことを特徴としている。これにより、例えばラベル印字では使用しないような効果的な広告メッセージもＰＯＰ印刷することが可能である。


【手続補正６】
【補正対象書類名】明細書
【補正対象項目名】０００８
【補正方法】変更
【補正の内容】
【０００８】
請求項３に記載のＰＯＰ印刷システムにおいては、前記制御手段はＰＯＰ印刷フォーマット情報を指定操作でき、広告データと共にＰＯＰ印刷フォーマット情報を送信することを特徴としている。これにより、ラベルプリンタでＰＯＰ印刷フォーマット情報を指定操作できるので、状況に応じたＰＯＰを印刷することが可能である。


【手続補正７】
【補正対象書類名】明細書
【補正対象項目名】０００９
【補正方法】変更
【補正の内容】
【０００９】
請求項４に記載のＰＯＰ印刷システムにおいては前記ラベルプリンタで呼び出した商品データはラベル印字とＰＯＰ印刷のいずれにも利用可能であることを特徴としている。これによりラベルとＰＯＰを同じ商品データに基づくため、両者の不一致が生じるおそれが少ない。


【手続補正８】
【補正対象書類名】明細書
【補正対象項目名】００１０
【補正方法】変更
【補正の内容】
【００１０】
【発明の実施の形態】
以下、図面を参照し、本発明の一実施形態のＰＯＰ印刷システムについて説明する。図１はＰＯＰ印刷システムの全体構成を示す概略構成システム図である。本発明の一実施形態によるＰＯＰ印刷システムは図１に示すように、スーパーマーケットなどのいわゆるバックルームに置かれ商品に貼付するラベルを発行する為のラベルプリンタ１、事務所にはＰＯＰシートを発行指示するアプリケーションソフトウェアや商品ファイル等の様々なファイルが記憶されたパーソナルコンピューター２（以下、サーバーＰＣ２とする。）、そして事務所内若しくは売り場にあり、サーバーＰＣ２からＰＯＰ発行指示の指示を受けるとＰＯＰシートを発行するプリンタ３がＬＡＮ４（ＬｏｃａｌＡｒｅａＮｅｔｗｏｒｋ）ケーブルを介して接続されている。そして更に店舗によっては前記ＬＡＮケーブル上にトランシーバー５を接続し、スーパーマーケット等の売場内にいる各店員が所持する無線携帯通信器６を動作させ、該無線携帯通信器からの信号を、該トランシーバー５を介して前記サーバーＰＣ２と通信可能とし、該サーバーＰＣ２内にある商品ファイル等を変更若しくは追加、更にはＰＯＰシートの発行指示も行うことが可能である。


【手続補正９】
【補正対象書類名】明細書
【補正対象項目名】００２１
【補正方法】変更
【補正の内容】
【００２１】
次に本発明の一実施形態であるラベルプリンタからの指示によりＰＯＰシートをＰＯＰ印刷手段から印刷する動作をラベルプリンタのＣＰＵ、サーバＰＣのＣＰＵが行う処理の流れを示すフローチャートそれぞれ図１１及び１２を用いて説明する。
ＳＴ１：通常ラベル発行動作と同様に、図２の操作部１４の数字キーと品番キーを用い所望の品番を入力する。
ＳＴ２：所望の商品データを読出する。
ＳＴ３：図５に示す操作表示部上のＰＯＰ発行指示キー３２を押下する。
ＳＴ４：ＳＴ３の操作により、図６の表示画面へ変わる。図６では選択された商品の商品番号、品名、値段などが表示され、更に使用したいＰＯＰカード番号４０をタッチすると予め設定されているＰＯＰカード番号がリストとして操作表示部上に表示され、そのリストの中から使用したいファイルをタッチし選択する。
また予め使用したいＰＯＰカード番号がわかっている場合は該ＰＯＰカード番号の数字を操作部１４の数字キーを用いて押し、その後カード番号４０を押下することで所望のＰＯＰカード番号が設定できる。


【手続補正１０】
【補正対象書類名】明細書
【補正対象項目名】００２３
【補正方法】変更
【補正の内容】
【００２３】
本発明では図４に示すラベルプリンタに記憶された商品ファイルのデータがサーバＰＣ２へ送信される為、通常ラベルには印字しないようなデータ例えば「ＳＡＬＥ」などの広告メッセージなどを設定し、且つ、使用するＰＯＰカード番号に該エリアを作成しておけば、該データをＰＯＰシートに印刷することが可能である。又、ラベルプリンタ内に記憶してあるデータを使用することで、同じ商品でラベルに印字される印字データとＰＯＰシートに印刷される印刷データが異なるという問題を最小限に抑えることができる。


【手続補正１１】
【補正対象書類名】明細書
【補正対象項目名】００２８
【補正方法】変更
【補正の内容】
【００２８】
【図面の簡単な説明】
【図１】本発明の一実施形態によるＰＯＰ印刷システム概略構成図である。
【図２】本発明のＰＯＰ印刷システムを構成するラベルプリンタの外観を示す斜視図である。
【図３】ラベルプリンタの電気的構成を示すブロック図である。
【図４】ラベルプリンタのＲＡＭ内に記憶された商品ファイルの例を示す図である。
【図５】ラベルプリンタの操作表示部に示される値付け画面の例を示す図である。
【図６】ラベルプリンタの操作表示部に示されるＰＯＰ発行指示画面の例を示す図である。
【図７】ＰＯＰ印刷フォーマット例を示す図である。
【図８】ＰＯＰ印刷シート例を示す図である。
【図９】ＰＯＰ印刷手段のＲＡＭ内に記憶された商品ファイルの例を示す図である。
【図１０】ＰＯＰ印刷手段のＲＡＭ内に記憶されたＰＯＰカード番号ファイルを示す図である。
【図１１】ラベルプリンタのＣＰＵが行うＰＯＰ発行指示処理を示すフローチャートである。
【図１２】本発明の一実施形態によるラベルプリンタからＰＯＰ発行指示動作を受けた後のＰＯＰ印刷手段のＣＰＵが行う処理を示すフローチャートである。